(57)【要約】【課題】例えば自動車等の車両用計器に用いられる表示板の指標部を照明する照明装置に関するものであり、表示板の指標部を照明表示させるにあたって、斬新な見栄えを達成し得る照明装置を提供する。【解決手段】指針４が指示する指標部５１を有する表示板５と、この表示板５の背後に配置される光源９と、少なくとも指標部５１を覆うように指針４と表示板５の間に配置され光源９の消灯時には表示板５の前方側から入射する光によってその色調が視認されると共に光源９の点灯時には光源９からの光を透過する半透過着色部材６と、を備えた。【選択図】図２
2004257881.tif 000002
【特許請求の範囲】
【請求項１】
指針が指示する指標部を有する表示板と、この表示板の背後に配置される光源と、少なくとも前記指標部を覆うように前記指針と前記表示板の間に配置され前記光源の消灯時には前記表示板の前方側から入射する光によってその色調が視認されると共に前記光源の点灯時には前記光源からの光を透過する半透過着色部材と、を備えたことを特徴とする照明装置。
【請求項２】
前記半透過着色部材はその一側面に対向配置される透過用光源のから光供給によって所定色に発光されてなることを特徴とする請求項１記載の照明装置。
【発明の詳細な説明】
【０００１】
【発明の属する技術分野】
本発明は、例えば自動車等の車両用計器に用いられる表示板の指標部を照明する照明装置に関する。
【０００２】
【従来の技術】
従来、この種の照明装置にあっては、例えば光透過性の基板と、この基板の前面に塗布形成され外部の光（反射光）によって暗色系の色調を有して視認されると共に背面側からの光を透過することが可能な地色層と、基板の背面に形成され目盛、文字等の指標部を形成するための開口部を有する遮光層とからなる表示板と、この表示板の背後に配置され指標部を照明する光源とを備え、光源の消灯時には地色層にあたって反射した反射光が視認されることで表示板がその全面に渡って暗色の色調により視認されるが、光源の点灯時にはその光が遮光層の開口部（指標部）及び地色層を通って前面側に透過し、この透過光によって指標部が照明されることで、これにより光源の消灯時は表示板全体が暗色により視認されると共に、光源の点灯時は指標部が所望の色調により照明表示されるようになっている（例えば特許文献１参照）。
【０００３】
【特許文献１】
特開平１１−１０５５８１号公報
【０００４】
【発明が解決しようとする課題】
しかしながら、特許文献１に記載の照明装置の場合、光源の消灯時は地色層にあたって反射した反射光が視認されることで表示板がその全面に渡って暗色の色調により視認されると共に、光源の点灯時にはその光が遮光層の開口部及び地色層を通って前面側に透過し、この透過光によって指標部が照明表示される構成である。従って、光源の点灯時、表示板の基板の前面に塗布形成された地色層内を透過光が透過することで、指標部は地色層上に平面的に照明表示されるだけであるため、表示板における指標部の照明表示が単調にならざるを得なく斬新さに欠けていた。
【０００５】
本発明はこの点に鑑みてなされたもので、その主な目的は、表示板の指標部を照明表示させるにあたって、斬新な見栄えを達成し得る照明装置を提供せんとするものである。
【０００６】
【課題を解決するための手段】
本発明は前記目的を達成するために、指針が指示する指標部を有する表示板と、この表示板の背後に配置される光源と、少なくとも前記指標部を覆うように前記指針と前記表示板の間に配置され前記光源の消灯時には前記表示板の前方側から入射する光によってその色調が視認されると共に前記光源の点灯時には前記光源からの光を透過する半透過着色部材と、を備えたことを特徴とする。
【０００７】
また本発明は、前記半透過着色部材はその一側面に対向配置される透過用光源のから光供給によって所定色に発光されてなることを特徴とする。
【０００８】
【発明の実施の形態】
図１，図２は本発明の第１実施形態を示すもので、以下、これらに基づいて本発明の第１実施形態を例えば自動車に搭載される計器の表示板を照明する照明装置に適用した場合について説明する。なお、図１は本発明の第１実施形態による照明装置の正面図、図２は図１のＡ−Ａ断面図である。
【０００９】
図１，図２において、本実施形態による照明装置は、回路基板１と、この回路基板１に導通装着され回転軸２が前方に延びる駆動装置３と、回転軸２にて回転駆動される指針４と、この指針４の背後に位置して回路基板１上に配置される表示板５と、指針４と表示板５の間に位置し表示板５の前面に沿うように配置される半透過着色部材６と、指針４や半透過着色部材６を露出させるための見返し板７と、指針４を照明する指針用光源８と、表示板５を照明する光源９と、回路基板１と表示板５との間に配置されるケース体１０とから構成される。
【００１０】
回路基板１は、例えばガラスエポキシ系基材に配線パターン（図示せず）を施した硬質回路基板からなり、指針用光源８と、光源９と、例えば駆動装置３の駆動・制御を行う駆動手段（図示せず）や例えば抵抗、コンデンサ等の各種回路部品（図示せず）が前記配線パターンに導通接続されている。
【００１１】
駆動装置３は、可動磁石式計器またはステッピングモータからなり、回転軸２が回路基板１を貫通するように、その主要部が回路基板１の背後に装着され、且つ半田付け等の適宜導通手段により前記配線パターン（前記駆動手段）に電気接続される。
【００１２】
指針４は、透光性合成樹脂からなる指示部４１と、この指示部４１の回転中心部外周を覆う遮光性合成樹脂からなるキャップ４２とを備えている。そして、指針４の指示部４１は表示板５の後述する指標部５１を指示するように線状に延び、また指針４の回転中心部には、その背後に配置された指針用光源８から発せられる光を受光しその光を指示部４１の先端側に反射導光する受光部４３が形成されている。なお、４４は指示部４１の前面に被着形成される赤色の透光性ホットスタンプ層である。
【００１３】
表示板５は、指針４の回転軌道に沿った円弧状の配列形状を有し指示部４１の指示対象となる目盛５１ａ，数字５１ｂからなる指標部５１と、この指標部５１の背景を形成する背景部５２と、この背景部５２に対応して形成される反射部５３とを有している。
【００１４】
この場合、背景部５２は、ＰＣ等の透光性の基材５４の前面に印刷形成された印刷層からなり、例えば黒色系の遮光性インクにより印刷形成されている。そして、指標部５１は背景部５２の印刷にあたり指標部５１となる部分を抜き印刷することにより、背景部５２を形成する印刷層が形成されない抜き部５５として形成され、また反射部５３は光反射率の高い半透光性の白色系インクにて指標部５１の対応範囲を除く基材５４の背面に印刷形成される。なお、これら背景部５２，反射部５３の各印刷層はスクリーン印刷等の手段を用いて印刷形成されている。
【００１５】
また指標部５１は、対応する指針４と組み合わされて計測表示対象に応じた指針式表示部Ｄを構成し、この指針式表示部Ｄは、本実施形態の場合、速度計からなる指針式表示部Ｄ１，並びにこの指針式表示部Ｄ１に隣接する回転計からなる指針式表示部Ｄ２のみが示されているが、この他に例えば燃料計、水温計、電圧計等からなる指針式表示部を組み込んでコンビネーションメータとしてもよく、この際、各指針式表示部毎に本実施形態のごとき半透過着色部材６を表示板５上に配置してもよい。
【００１６】
半透過着色部材６は、例えば黒色系もしくは暗色系のスモーク色調を有する半透明の合成樹脂（ガラスでもよい）板からなり、所定厚さ（例えば３ｍｍ〜１０ｍｍ）を有し、略円板状に形成されている。また、半透過着色部材６の外形形状は表示板５の外形形状と略一致するように形成されており、半透過着色部材６は表示板５の前面に密着して配設され、表示板５を覆う被覆部材としての機能を有している。また、半透過着色部材６は印刷層等の被膜が形成されておらず、その部材の質感（この場合、合成樹脂板の質感）が露出するようになっている。
【００１７】
また、半透過着色部材６は、見返し板７の後述する開口部７１から露出するように表示板５の指標部５１，背景部５２上に配置される略円板状の平板部６１と、この平板部６１の側面から平板部６１の板面方向に沿うように平板部６１の外方に突出し表示板５と見返し板７との間に位置するフランジ部６２とを有し、フランジ部６２は平板部６１を取り巻くように見返し板７側に延びており、その板厚は平板部６１の板厚よりも肉薄となるように設定されている。
【００１８】
そして、光源９の非点灯時には半透過着色部材６の前方側からの外光が半透過着色部材６の平板部６１の前面にあたって反射され、その反射光によって平板部６１は半透過着色部材６自体の色調である暗色により視認される。これにより運転者側には半透過着色部材６を通じて表示板５（指標部５１）が視認されないようになっている。なお、半透過着色部材６は光源９の点灯時には表示板５の指標部５１の発光色を運転者側に視認可能にさせるための透光部材としての機能も有している。なお、図示しないが平板部６１の前面に必要に応じて例えば低反射コーティングからなる保護層を設けて、平板部６１前面における外光反射を抑えるようにしてもよい。
【００１９】
見返し板７は、黒色系の合成樹脂からなり、指針４や半透過着色部材６を露出し、それ以外の所要領域を隠蔽するもので、半透過着色部材６のフランジ部６２に対応する箇所に開口部７１を備えている。
【００２０】
指針用光源８は、例えば白色光を発するチップ型発光ダイオードからなり、指針４の回転中心近傍に複数個配置され、受光部４３を通じて指針４の指示部４１の先端側に反射導光され、さらに透光性ホットスタンプ層４４によって着色されることにより指示部４１を赤色に発光させる発光体である。
【００２１】
光源９は、例えば白色光を発するチップ型発光ダイオードからなり、ケース体１０の後述する第１の反射壁に対応する回路基板１の前方側に配置され、指標部５１を白色に発光させる発光体である。
【００２２】
ケース体１０は、例えば白色系の合成樹脂からなり、表示板５を保持する保持体としての機能、指針用光源８や光源９を収納するハウジングとしての機能、指針用光源８や光源９の光を前方側に反射させる反射体としての機能を有している。また、ケース体１０は、指針用光源８を収納し指針４の前記回転中心部に指針用光源８の光を供給するための筒状部１０１と、この筒状部１０１を取り巻くように表示板５側に傾斜して延び光源９と対向する第１の反射壁１０２と、この第１の反射壁１０２と表示板５とに対向し指標部５１（見返し板７）側に近づくに従って表示板５に近接する皿形状の環状壁からなる第２の反射壁１０３とを有している。
【００２３】
そして、この場合、第１の反射壁１０２は光源９からの光を主に外周に向けて放射状に反射する反射面を構成し、第２の反射壁１０３は第１の反射壁１０２を通じて外周に反射された光を表示板５（半透過着色部材６）側に反射する反射面を構成している。
【００２４】
また、第１，第２の反射壁１０２，１０３，筒状部１０１，並びに表示板５の反射部５３によって囲まれた空間部Ｓは光源９の光を指標部５１に導く照明室としての機能を有しており、この照明室（空間部Ｓ）と前記照明室内に配置される光源９とで指標部５１を照明する照明手段Ｌが構成される。この際、表示板５の反射部５３は、この反射部５３により光源９の光を前記照明室内に再反射させ、照明効率を高める機能を有している。
【００２５】
このような構成において、例えば自動車に搭載されるキースイッチのスイッチオフ、すなわち指針用光源８，光源９の非点灯時には、指針用光源８の非点灯によって指示部４１は指針４の前方側からの外光等が透光性ホットスタンプ層４４の前面を反射することにより赤色に視認される。
【００２６】
また、光源９の非点灯によって前記照明室には光源９からの光が供給されないため、指標部５１を含む表示板５は表示板５の前方側からの外光等が半透過着色部材６の平板部６１の前面を反射することにより半透過着色部材６自体の色調である黒色または暗色により視認される。これにより前記キースイッチがスイッチオフ状態のとき、運転者側には平板部６１前面の光反射作用により指標部５１がぼとんど視認されないかまたは全く視認されずに、透光性ホットスタンプ層４４の光反射作用により指示部４１のみが視認されるようになっている。
【００２７】
そして、前記キースイッチのスイッチオンによって指針用光源８，光源９が点灯すると、指針用光源８から発せられた光はケース体１０の筒状部１０１内を通過して受光部４３に到達する。さらに、この受光部４３に到達した光は受光部４３によって指示部４１の先端側に反射導光され、指示部４１の先端側に反射導光された光が透光性ホットスタンプ層４４によって着色されることで指示部４１が赤色に発光する。
【００２８】
また、光源９から発せられた光は、前記照明室（空間部Ｓ）を通じて反射・拡散され、表示板５の反射部５３の抜きエリアを通過して指標部５１（抜き部５５）に対応する基材５４内に供給される。そして、指標部５１に対応する基材５４内に供給された光は抜き部５５を通過して、抜き部５５に対応する半透過着色部材６の平板部６１箇所に供給され、この光が抜き部５５に対応する平板部６１箇所を透過することで、指標部５１である目盛５１ａ及び数字５１ｂが透過照明される。これにより前記キースイッチがスイッチオン状態のとき、運転者側には光源９からの光が抜き部５５に対応する平板部６１箇所を透過することで指標部５１が視認されると共に、指針用光源８からの光が透光性ホットスタンプ層４４を透過することで指示部４１が視認されるようになっている。
【００２９】
従って、前記キースイッチのスイッチオフ時には平板部６１の光反射作用によって指標部５１が視認されないが、前記キースイッチをスイッチオンすると、光源９が点灯し、この光源９の光が抜き部５５を通じて抜き部５５に対応する平板部６１箇所に供給されることで指標部５１が透過照明され、これにより前記キースイッチのスイッチオン・オフ時における指標部５１の明暗の差をはっきりと認識させることが可能となる。
【００３０】
そして、表示板５の前方には暗色系からなる板状の半透過着色部材６が密着するように配置されていることで計器全体の造形が半透明感のあるものとなり、しかも光源９の点灯時に指標部５１が半透過着色部材６自体の半透明感によって半透過着色部材６前面から浮かび上がるように照明表示されるため、半透過着色部材６の立体造形のもとで前記キースイッチのスイッチオン・オフ時における見栄えが斬新なものとなる。
【００３１】
図３は本発明の第２実施形態を示しており、本実施形態ではケース体１０の第１の反射壁１０２を廃止して、光源９の真上に位置し、光源９から前記照明室に至る照明経路中に配置される導光体１１によって光源９の光を空間部Ｓを通じて抜き部５５（指標部５１）側に反射導光させる構成を示している。
【００３２】
この場合、照明手段Ｌは光源９と、空間部Ｓ（前記照明室）と、導光体１１とから構成され、この導光体１１は例えば透光性のアクリル樹脂からなり、断面略「Ｌ」字状に形成され、光源９の光を受光する入光部１１１と、この入光部１１１に入光した光を外側（見返し板７側）に反射させる反射面１１２と、この反射面１１２によって反射された光を空間部Ｓ内に照射するための照射部１１３とを有している。
【００３３】
かかる実施形態においても、前記キースイッチのスイッチオフ時には半透過着色部材６の平板部６１前面の光反射作用によって指標部５１が視認されることはない。そして、前記キースイッチのスイッチオンによって光源９が点灯すると、光源９の光が入光部１１１に入光し、この入光部１１１に入光した光源９の光が反射面１１２を通じて照射部１１３側に反射導光され、照射部１１３から照射する光が空間部Ｓを通過する際に拡散・反射されて抜き部５５に対応する基材５４内に供給されるようになっている。従って、抜き部５５に対応する基材５４内に供給された光は指標部５１の目盛５１ａ，数字５１ｂ内を通過して、さらに抜き部５５に対応する半透過着色部材６の平板部６１箇所を透過し、これにより指標部５１である目盛５１ａ及び数字５１ｂが透過照明されるため、前記第１実施形態と同様の作用効果を得ることができる。
【００３４】
また前記各実施形態では、半透過着色部材６の平板部６１前面が平坦面からなる場合について説明したが、半透過着色部材６の形状は任意であり、例えば半透過着色部材６の平板部６１前面に平板部６１の板面方向に沿うように凸面状もしくは凹面状からなる曲面を設けてもよい。さらに、この曲面は平板部６１前面の一部にのみ設けてもよいし、平板部６１前面に複数箇所設けてもよい。
【００３５】
また前記各実施形態では、半透過着色部材６が表示板５の指標部５１、背景部５２を覆う略円板状からなる場合について説明したが、本発明はこれに限定されることはなく、例えば図１中、点線で示すように指標部５１のみを覆うように略馬蹄形状の半透過着色部材６を表示板５上に配置してもよい。
【００３６】
また前記各実施形態では、半透過着色部材６を暗色系の色調に設定したが、
半透過着色部材６の半透明感を演出することが可能であれば任意の色に設定することができ、例えば赤、青、黄、オレンジ等に設定してもよい。
【００３７】
なお前記各実施形態では、指標部５１が表示板５の基材５４の前面に形成された印刷層からなる場合について説明したが、本発明はこれに限定されることはなく、例えば表示板５を廃止して半透過着色部材６の背面に背景部５２を印刷形成し、光源９からの光が背景部５２の抜き部５５を通じて半透過着色部材６に供給されることによって指標部５１を透過照明するようにしてもよい。また、指標部５１は目盛、数字の他に警報マーク等からなる報知部であってもよい。
【００３８】
図４，図５は本発明の第３実施形態を示しており、本実施形態では半透過着色部材６の平板部６１前面に平板部６１の板面方向に沿うように略凸面状からなる曲面部６３が形成され、且つ平板部６１の一側面６４との対向面には半透過着色部材６を所定色に発光させるための透過用光源１２が配置されており、この透過用光源１２からの光が一側面６４を通じて半透過着色部材６内にエッジライト光として供給されることで半透過着色部材６が所定色を有するように発光する。
【００３９】
この場合、透過用光源１２は、例えば青色光を発するチップ型発光ダイオードからなり、硬質回路基板からなる配線基板１３上に搭載されている。この配線基板１３は、回路基板１と見返し板７との間に配置され表示板５の板面方向（回路基板１の板面方向）と直交する方向に板状に延びている。また、配線基板１３は透過用光源１２や例えば抵抗、コンデンサ等の各種回路部品（図示せず）が配線パターンに導通接続されている。
【００４０】
そして、前記キースイッチのスイッチオンによって指針用光源８，光源９及び透過用光源１２が点灯すると、前記各実施形態のごとき指針用光源８の点灯によって指示部４１が赤色に発光し、光源９の点灯によって抜き部５５内を通過する白色光が半透過着色部材６内を透過することで、指標部５１が白色に発光する。
【００４１】
また、透過用光源１２から発せられた光は透過用光源１２と対向する半透過着色部材６の一側面６４に入光し、一側面６４に入光した光は一側面６４周囲ではあまり拡散反射されずに、主に半透過着色部材６の板面方向に沿って指標部５１に対応する半透過着色部材６箇所に直進する。これにより、直進光の光量は指標部５１に対応する半透過着色部材６箇所に多く供給されるため、この指標部５１に対応する半透過着色部材６箇所が明るい青色に発光し、その内側である指針４の前記回転中心部の周囲は曲面部６３によって半透過着色部材６内を拡散反射するわずかな光量によって指標部５１に対応する半透過着色部材６箇所よりもぼやけた状態で青色に発光する。
【００４２】
従って、半透過着色部材６は透過用光源１２の点灯によって指針４の前記回転中心部から外側（指標部５１側）に向かうに従って次第に色が濃くなるように色のグラデーション模様を有して視認される。また、この場合、指標部５１内を通過して、さらに指標部５１に対応する半透過着色部材６箇所を透過する白色透過光は前記直進光と混合され、指標部５１は前記白色透過光と前記直進光との混合色である青白色光によって視認される。これにより、半透過着色部材６の発光による色のグラデーション模様は指標部５１の青白色光の下地を形成しており、前記キースイッチのスイッチオン時における斬新な見栄えを演出することが可能となる。
【００４３】
図６は本発明の第４実施形態を示しており、本実施形態では前記第３実施形態における透過用光源１２，配線基板１３を廃止し、空間部Ｓ内であって半透過着色部材６のフランジ部６２に対応する表示板５の背面箇所に導光部材１４を設けた例を示している。
【００４４】
この場合、表示板５には指標部５１の外側（見返し板７側）に導光部材１４の形状に対応させて抜き形成してなる透光部５６が形成されている。この透光部５６は背景部５２を形成する遮光性インクを抜き印刷することにより、背景部５２が形成されない抜き部からなり、従って透光部５６は基材５４が部分的に露出し、導光部材１４を通じて導かれた光源９からの光を半透過着色部材６側に透過できるようになっている。なお本実施形態では、反射部５３が指標部５１，透光部５６の対応範囲を除く基材５４の背面に印刷形成されている。
【００４５】
そして、この透光部５６の前面に青色系の透光性インクにより着色部５７が印刷形成されており、この着色部５７と透光部５６とによって光源９の点灯時に半透過着色部材６を着色させる着色手段Ｔが設けられている。この着色手段Ｔは導光部材１４と半透過着色部材６との間に挟まれるように表示板５の外縁に連続形成されている。そして、光源９の白色光が導光部材１４を通じて半透過着色部材６に供給されると半透過着色部材６に導光された光は青色に着色されるため、半透過着色部材６の着色光を抜き部５５並びに抜き部５５に対応する半透過着色部材６箇所を透過する白色透過光に対して容易に異ならせることができる。
【００４６】
また、着色部５７と対向する半透過着色部材６の曲面部６３箇所には反射壁部６５が形成され、この反射壁部６５は着色手段Ｔを通じて入光する光を指標部５１に対応する半透過着色部材６側に照射させる照射部としての機能を有している。
【００４７】
また、本実施形態に採用した導光部材１４は例えば透光性のアクリル樹脂からなり、断面略三角形状に形成され、第１の反射壁１０２と対向配置され空間部Ｓ内に供給された光を受光する受光面１４１と、この受光面１４１を通じて導光部材１４内に入光した光を半透過着色部材６の反射壁部６５側に反射導光させるための反射受光部１４２と、透光部５６と対向配置され反射受光部１４２からの光を透光部５６に導入する導光面１４３とを有している。
【００４８】
そして、光源９から発せられた光は前記照明室（空間部Ｓ）を通じて反射・拡散され、表示板５の抜き部５５に対応する基材５４内に供給される光と、導光部材１４の受光面１４１に供給される光とに大別される。そして、抜き部５５に対応する基材５４箇所に供給される光は基材５４、抜き部５５を通過して、さらに抜き部５５に対応する半透過着色部材６箇所に供給され、これにより指標部５１が白色に発光する。ゆえに、運転者側には指標部５１の白色光が視認されるようになっている。
【００４９】
また、導光部材１４の受光面１４１に供給される光は導光部材１４内に入光し、この導光部材１４に入光した光は受光反射部１４２を通じて導光面１４３側に反射導光される。そして、この導光面１４３側に反射導光された光は着色手段Ｔを通過する際に青色に着色され、この青色光が半透過着色部材６に導入される。
【００５０】
さらに、半透過着色部材６に導入された光は反射壁部６５を通じて指標部５１に対応する半透過着色部材６側に反射導光される光量が多くなり、これにより半透過着色部材６は前記第３実施形態と同様に指針４の前記回転中心部から外側（指標部５１側）に向かうに従って次第に色が濃くなるように色のグラデーション模様を有して視認される。従って、かかる実施形態においても、前記第３実施形態と同様に前記キースイッチのスイッチオン時における斬新な見栄えを演出することが可能となり、しかも指標部５１を発光させるための光源９を用いて半透過着色部材６の発光色を指標部５１の発光色に対して容易に異ならせることができるというメリットもある。
【００５１】
図７，図８は本発明の第５実施形態を示しており、本実施形態では前記各実施形態にて採用した表示板５の代わりにグラデーション模様Ｇの形成された表示板１５が採用されている場合を示している。この表示板１５は、指針４の指示対象となる目盛１５１ａ，数字１５１ｂからなる指標部１５１と、この指標部１５１の背景を形成する背景部１５２とを有している。
【００５２】
この場合、背景部１５２は、ＰＣ等の透光性の基材１５３の前面に印刷形成された印刷層からなり、例えば薄い青色系の透光性インクにより印刷形成されている。そして、指標部１５１は背景部１５２の印刷にあたり指標部１５１となる部分を抜き印刷することにより、背景部１５２を形成する印刷層が形成されない抜き部１５４として形成される。
【００５３】
さらに、背景部１５２の前面には遮光層１５５によるグラデーション模様Ｇが形成されており、この遮光層１５５は図７中、数字１５１ｂの一部と目盛１５１ａを含む領域Ｒ１は黒色系の遮光性インクにより一様に印刷形成されている。そして、指針４側となる領域Ｒ３及び、領域Ｒ１と領域Ｒ３との間に位置する領域Ｒ２には背景部１５２の前面に指針４の前記回転中心部から指標部１５１に向かうに従って黒色系の遮光性インクの密度が濃くなるような網点によるグラデーション模様Ｇが印刷形成されている。
【００５４】
そして、前記キースイッチのスイッチオンにより光源９，透過用光源１２が点灯すると、光源９の光は基材１５３内に供給され、基材１５３を透過した光は抜き部１５４を通過する光と背景部１５２内を透過する光とに大別される。
さらに、抜き部１５４を通過する光は真上に進み半透過着色部材６内を透過することで指標部１５１が白色に発光する。また、背景部１５２内を透過する光は遮光層１５５の抜きエリア１５６から部分的に抜けて前記網点の密度の薄い領域Ｒ３箇所は薄い青色に発光し、前記網点の密度の濃い領域Ｒ２箇所は領域Ｒ３箇所よりもさらに薄い青色に発光する。
【００５５】
また、透過用光源１２の光は、半透過着色部材６内に供給され、前記第３実施形態のごとく目盛１５１ａに対応する領域Ｒ１箇所には青色光が多く供給され、指針４の前記回転中心部の周囲である領域Ｒ２，Ｒ３箇所には青色光が供給されにくくなる。
【００５６】
従って、領域Ｒ１箇所は透過用光源１２の光によって青色光に発光し、また数字１５１ｂの一部、並びに目盛１５１ａは半透過着色部材６内に供給される青色光と抜き部１５５を通過する白色光とが混合されて青白色光に発光する。また、領域Ｒ３箇所は背景部１５２を透過する光が半透過着色部材６内に多く供給されることによって薄い青色に発光する。そして、領域Ｒ２箇所は背景部１５２を透過するわずかな薄い青色光と、透過用光源１２から半透過着色部材６に供給される少量の青色光とが混合されることによって、領域Ｒ１箇所におおける青色光と領域Ｒ３箇所における薄い青色光との中間の発光色が得られる。
【００５７】
これにより半透過着色部材６は指針４の前記回転中心部（領域Ｒ３）から指標部５１側（領域Ｒ１）に向かうに従って次第に色が濃くなるように色のグラデーション模様を有して視認され、前記キースイッチのオン時における斬新な見栄えを演出することが可能となる。
【００５８】
なお前記前記第３，第４，第５実施形態では、半透過着色部材６の背面が平坦面からなる例について説明したが、例えば目盛５１ａ（１５１ａ）、数字５１ｂ（１５１ｂ）と対向する半透過着色部材６の背面箇所に例えば断面形状が略凹状の肉抜き部を設け、この肉抜き部に到達する光源９からの光と透過用光源１２からの光とによって目盛５１ａ（１５１ａ）、数字５１ｂ（１５１ｂ）を立体的に見せることも可能である。
【００５９】
なお前記第３，第４，第５実施形態では、半透過着色部材６内に透過用光源１２からの光を供給して半透過着色部材６がグラデーション発光を有するように設定したが、例えば半透過着色部材６の前面または背面にシボ等の粗面を形成し、この粗面の光拡散効果により半透過着色部材６のグラデーション発光を調整するようにしてもよい。
【００６０】
【発明の効果】
以上、本発明によれば、初期の目的を達成することができ、表示板の指標部を照明表示させるにあたって、斬新な見栄えを達成し得る照明装置を提供することができる。
【図面の簡単な説明】
【図１】本発明の第１実施形態による照明装置の正面図。
【図２】図１のＡ−Ａ断面図。
【図３】本発明の第２実施形態による照明装置の断面図。
【図４】本発明の第３実施形態による照明装置の正面図。
【図５】図４のＢ−Ｂ断面図。
【図６】本発明の第４実施形態による照明装置の断面図。
【図７】本発明の第５実施形態による照明装置の要部正面図。
【図８】同実施形態による照明装置の要部断面図
【符号の説明】
１    回路基板
２    回転軸
３    駆動装置
４    指針
５    表示板
６    半透過着色部材
７    見返し板
８    指針用光源
９    光源
１０    ケース体
５１    指標部
５１ａ  目盛
５１ｂ  数字
５２    背景部
５３    反射部
５４    基材
５５    抜き部
６１    平板部
６２    フランジ部
Ｌ    照明手段
Ｓ    照明室
【図１】
2004257881.tif 000003
【図２】
2004257881.tif 000004
【図３】
2004257881.tif 000005
【図４】
2004257881.tif 000006
【図５】
2004257881.tif 000007
【図６】
2004257881.tif 000008
【図７】
2004257881.tif 000009
【図８】
2004257881.tif 000010